(57)【要約】【課題】  色変換処理用ルックアップテーブル（ＬＵＴ）における無彩色軸上の、他の設定点と異なる傾向を示す設定点を確実に見つけ出してその設定値を補正し、最適な色変換が行えるようにする。【解決手段】  ＬＵＴから入力カラーデータ（ＲＧＢ値）と出力カラーデータ（ＣＭＹ値）を読み込み、前記入力カラーデータに対する出力カラーデータの分布に基づいて回帰分析による関係式を作成する。そして、該関係式に前記入力カラーデータを代入して予測値を算出し、該予測値と、対応する出力カラーデータとの基準化残差が所定値を超えたとき、同軸上の他の設定点の傾向と明らかに異なる傾向を示していると判断し、ＬＵＴの該当する設定値を予測値を使って補正する。【選択図】      図１
2006129259.tif 000002
【特許請求の範囲】
【請求項１】
色変換処理用ルックアップテーブルから入力カラーデータと出力カラーデータを読み込む工程と、前記入力カラーデータと出力カラーデータとに基づいて回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする色変換処理用ルックアップテーブル補正方法。
【請求項２】
前記色変換処理用ルックアップテーブルから無彩色軸上にある入力カラーデータと出力カラーデータを読み込んで無彩色のデータのみを処理することを特徴とする請求項１記載の色変換処理用ルックアップテーブル補正方法。
【請求項３】
前記予測値と、対応する出力カラーデータとの基準化残差が所定値を超えたとき、対応する出力カラーデータの補正を行うことを特徴とする請求項１又は２記載の色変換処理用ルックアップテーブル補正方法。
【請求項４】
色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータと出力カラーデータとに基づいて回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする画像形成装置。
【請求項５】
前記色変換処理用ルックアップテーブルから無彩色軸上にある入力カラーデータと出力カラーデータを読み込んで無彩色のデータのみを処理することを特徴とする請求項４記載の画像形成装置。
【請求項６】
前記予測値と、対応する出力カラーデータとの基準化残差が所定値を超えたとき、対応する出力カラーデータの補正を行うことを特徴とする請求項４又は５記載の画像形成装置。
【発明の詳細な説明】
【技術分野】
【０００１】
本発明は、スキャナ等で読み取られたＲＧＢ信号を、カラープリンタ等で取り扱われるＣＭＹＫ信号に変換する際に用いられる色変換処理用ルックアップテーブルを補正するための色変換処理用ルックアップテーブル補正方法及びそれを利用した画像形成装置に関するものである。
【背景技術】
【０００２】
カラーモニタ、カラースキャナ等では、カラー信号としてＲＧＢ信号で出力され、カラープリンタ等では、ＣＭＹＫ信号に基づいて印字出力される。例えば、カラースキャナを使ってカラー画像を読み取り、それをカラープリンタでプリントアウトする場合、カラースキャナではＲＧＢ信号で画像を読み取り、カラープリンタではそれをＣＭＹＫ信号に変換して印刷を行う。その際、ＲＧＢ信号をＣＭＹＫ信号に変換するのに、ルックアップテーブル（以下、「ＬＵＴ」と記載する）が用いられる。
【０００３】
ＬＵＴは、例えば、特許文献１に示されるように、ＲＧＢの８ビットの濃度値を立方体の互いに直交する３軸方向に割り当て、それぞれを等分に複数分割してできる格子点に対してのＣＭＹ値を設定し、テーブル化している。
【０００４】
【特許文献１】特開２００２−２７２７４号公報
【発明の開示】
【発明が解決しようとする課題】
【０００５】
しかしながら、上記特許文献１に示すように、開発段階等で試行錯誤を繰り返しながら作成するＬＵＴは、完璧なものとはなりえず、どこかに不満足な部分が残ってしまう。特に、無彩色であるはずの部分に色が乗ってしまうと色変換の不完全さが目立つので、無彩色のＲＧＢ値に対するＣＭＹ値に彩度が乗るのはぜひとも避ける必要があるが、従来の方法で設定したＬＵＴでは、本来無彩色の設定点に彩度が乗ってしまうことがあり、上述の方法に基づいて色変換を行うと、無彩色軸全体が色味を帯びて観察されることがあるという問題点があった。
【０００６】
従来、一度設定が完了したＬＵＴを後で補正する手段はなく、上記のような問題に対しては、ＬＵＴを使用する段階で、適当なデータ処理を施すことにより問題の解決を図っていた。しかしながら、ＬＵＴを使用する段階で、いちいちデータ処理を施すのでは処理装置の負担が大きくなってしまうという問題点があった。
【０００７】
本発明は、そのような問題点に鑑み、ＬＵＴにおける無彩色軸上の、ある設定点が同軸上の他の設定点の傾向と明らかに異なる傾向を示している場合に、異なる傾向を示す設定点を確実に見つけ出してその設定値を補正し、最適な色変換が行えるようにすることを目的とするものである。
【課題を解決するための手段】
【０００８】
前記課題を解決するため、請求項１に記載の色変換処理用ルックアップテーブル補正方法は、色変換処理用ルックアップテーブルから入力カラーデータと出力カラーデータを読み込む工程と、前記入力カラーデータと出力カラーデータとに基づいて回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする。
【０００９】
また、請求項２に記載の色変換処理用ルックアップテーブル補正方法は、前記色変換処理用ルックアップテーブルから無彩色軸上にある入力カラーデータと出力カラーデータを読み込んで無彩色のデータのみを処理することを特徴とする。
【００１０】
また、請求項３に記載の色変換処理用ルックアップテーブル補正方法は、前記予測値と、対応する出力カラーデータとの基準化残差が所定値を超えたとき、対応する出力カラーデータの補正を行うことを特徴とする。
【００１１】
また、請求項４に記載の画像形成装置は、色変換処理用ルックアップテーブルによりＲＧＢ方式の入力カラーデータをＣＭＹＫ方式の出力カラーデータに変換する手段を有する画像形成装置において、前記色変換処理用ルックアップテーブルから入力カラーデータと出力カラーデータを読み込む手段と、前記入力カラーデータと出力カラーデータとに基づいて回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする。
【００１２】
また、請求項５に記載の画像形成装置は、前記色変換処理用ルックアップテーブルから無彩色軸上にある入力カラーデータと出力カラーデータを読み込んで無彩色のデータのみを処理することを特徴とする。
【００１３】
また、請求項６に記載の画像形成装置は、前記予測値と、対応する出力カラーデータとの基準化残差が所定値を超えたとき、対応する出力カラーデータの補正を行うことを特徴とする。
【発明の効果】
【００１４】
本発明の色変換処理用ルックアップテーブル補正方法は、次のような効果を奏する。すなわち、請求項１に記載の色変換処理用ルックアップテーブル補正方法は、色変換処理用ルックアップテーブルから入力カラーデータと出力カラーデータを読み込んで、回帰分析による関係式を作成し、該関係式に前記入力カラーデータを代入して算出した予測値に基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、最適な色変換が行えるようになる。
【００１５】
また、請求項２に記載の色変換処理用ルックアップテーブル補正方法は、色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できる。
【００１６】
また、請求項３に記載の色変換処理用ルックアップテーブル補正方法は、前記予測値と、対応する出力カラーデータとの基準化残差に基づいて補正の要否を判断するようにしたので、個々のデータの大小に関係なく、他のデータと異質な傾向を示しているデータを確実に判別できて、ＬＵＴの補正を的確に行うことができる。
【００１７】
また、請求項４に記載の画像形成装置は、色変換処理用ルックアップテーブルから入力カラーデータと出力カラーデータを読み込んで、回帰分析による関係式を作成し、該関係式に前記入力カラーデータを代入して算出した予測値に基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、最適な色変換が行える画像形成装置を提供することができる。
【００１８】
また、請求項５に記載の画像形成装置は、前記色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できる画像形成装置を提供することができる。
【００１９】
また、請求項６に記載の画像形成装置は、対応する出力カラーデータとの基準化残差に基づいて補正の要否を判断するようにしたので、個々のデータの大小に関係なく、他のデータと異質な傾向を示しているデータを確実に判別できて、ＬＵＴの補正を的確に行うことができる画像形成装置を提供することができる。
【発明を実施するための最良の形態】
【００２０】
以下、本発明の実施例を図面に基づいて詳細に説明する。
【実施例１】
【００２１】
図１は、本発明の一実施例に係るＬＵＴ補正システムを示すシステムブロック図である。このＬＵＴ補正システム１は、例えば、パソコン上で実行される。ＬＵＴ−Ａは、テストパッチ測定によりＣＭＹＫ値を設定した補正前もので、ＬＵＴデータ読込部２は、ＬＵＴ−Ａから、無彩色軸上にある入力カラーデータ（ＲＧＢ値）と出力カラーデータ（ＣＭＹ値）を読み込む。ここで出力カラーデータうぃＣＭＹ値として、Ｋ値を除いているのは、無彩色軸に色味が帯びる原因となるのがＣＭＹ値であり、Ｋ値は関係しないためである。しかし、Ｋ値もＣＭＹ値と同様に取り扱って処理することもできる。
【００２２】
関係式作成部３は、ＬＵＴデータ読込部２からＲＧＢ値とＣＭＹ値を受け取り、それらのデータに基づいて、回帰分析のための関係式を作成する。関係式は、ＲＧＢ値に対するＣＭＹ値の分布状態に応じて、区域を複数に分割し、それぞれの区域毎に作成する。区域の区分けは、官能検査によって明度変化が知覚されにくい点、等分割する点、直線的変化と曲線的変化の境界点等を基準にして行う。それら区分けの境界点は、予め、設計者が最適と思われる点を選択して決めておく。
【００２３】
例えば、図２に示されるように、直線的変化と曲線的変化の境界点Ｓ１と、曲線的変化と直線的変化の境界点Ｓ２で区分けし、黒色点（ＲＧＢ値＝０、０、０）から境界点Ｓ１までの区域Ａ１、境界点Ｓ１から境界点Ｓ２までの区域Ａ２、境界点Ｓ２から白色点（ＲＧＢ値＝２５５、２５５、２５５）までの区域Ａ３に分割する。なお、図２は、ＬＵＴにおけるそれぞれの格子点のＲＧＢ値に対して設定されたＣＭＹ値をプロットしたものである。
【００２４】
そして、それぞれの区域Ａ１、Ａ２、Ａ３の内、直線的変化を示している区域Ａ１、Ａ３においては、一次式
Ｃ＝βＣ０＋βＣ１×ＲＧＢ
Ｍ＝βＭ０＋βＭ１×ＲＧＢ
Ｙ＝βＹ０＋βＹ１×ＲＧＢ
を適用する。ここで、カラーデータは、無彩色軸上にあるものだけを扱っているため、ＲＧＢ値は、Ｒ＝Ｇ＝Ｂとなり、上記式における変数ＲＧＢは、各色共通の値をとる。
【００２５】
また、二次曲線的変化を示している区域Ａ２においては、二次式
Ｃ＝βＣ０＋βＣ１×ＲＧＢ＋βＣ２×ＲＧＢ２
Ｍ＝βＭ０＋βＭ１×ＲＧＢ＋βＭ２×ＲＧＢ２
Ｙ＝βＹ０＋βＹ１×ＲＧＢ＋βＹ２×ＲＧＢ２
を適用する。
【００２６】
回帰分析の手法を使って上記式の係数βＣ０、βＣ１、・・・を定めて、関係式を確定する。すなわち、最小２乗法により係数βＣ０、βＣ１、・・・を定め、例えば、図２の区域Ａ１では、Ｃ、Ｍ、Ｙそれぞれについて、区域内にある３点のＲＧＢ値に対応するＬＵＴの設定値と、ＲＧＢ値を上記式に代入して求められる値との差の２乗の合計が最小になるβＣ０、βＣ１、・・・を求めて関係式を確定する。図２に一点鎖線で示している直線や曲線は、求めた関係式で表されるＲＧＢ値とＣＭＹ値との関係を示している。
【００２７】
予測値計算部４は、関係式作成部３で確定した関係式を使って区域内の各点におけるＣＭＹの予測値を計算し、補正処理部５へ渡す。補正処理部５は、予測値計算部４で計算した予測値とＬＵＴで設定された値との間に大きな相違があれば、ＬＵＴ設定値の補正を行う。その際、予測値と設定値との間に大きな相違があるか否かの判定は、基準化残差が所定値を上回ったか否かで行う。
【００２８】
基準化残差は、当該データの予測値との差をｘ、差の平均値をμ、差の標準偏差をσとしたとき、基準化残差ｕ＝（ｘ−μ）／σで表される。このような基準化残差を用いる理由は、データはバラツキを持っているので一つの値だけで客観的に誤差が大きくなったとは判断できない。そこで、数字の大小比較では、それが集合の中での異質なデータであるか否か判断できない。統計的に、一つの集合の中で、平均から±３σ以内に入るデータは、９９．７％であるといわれている。ここでは、そのことを利用して、基準化された値ｕが、所定値以上、例えば３あるいは２．５以上であれば、そのデータは他のデータと異質なものであるとみなし、補正する必要があると判断することとした。
【００２９】
そのようにして、補正する必要があると判断された場合は、ＬＵＴの設定値と、関係式によって計算された予測値との平均値を算出して補正値とするか、あるいは、設計者の経験に基づいて、ＬＵＴの設定値と、関係式によって計算された予測値とに重み付けをし、それら重み付けをした後の値の平均値を算出して補正値とする。
【００３０】
補正ＬＵＴ作成部６は、補正処理部５から、補正しないデータはＬＵＴ−Ａの設定値をそのまま受け取り、補正するデータは上記補正値を受け取って、ＬＵＴデータがすべて揃ったところで、ＬＵＴの設定値を入れ替えて、新しいＬＵＴ−Ｂを作成する。
【００３１】
なお、上記実施例では、ＬＵＴ補正システムをパソコン上で実行する場合で説明したが、プリンタ等の画像形成装置に搭載して、画像形成装置内で実行させるようにしてもよい。そのようにすれば、画像形成装置を設置した後でも、必要に応じてＬＵＴの補正ができるようになる。
【００３２】
また、上記実施例では、ＬＵＴの無彩色軸上にあるカラーデータのみを読み込んで処理するようにしたが、本発明は、有彩色軸上にあるカラーデータの補正にも拡張して適用できる。例えば、ＲＧＢの内のＲ軸上のデータを補正する場合は、Ｒの値が２５５であり、ＧとＢの値が等量ずつ段階的に変化する格子点のカラーデータをＬＵＴから読み込んで、ＧＢ値に対するＣＭＹ値の分布について上記と同様な処理を行うことにより実現できる。
【図面の簡単な説明】
【００３３】
【図１】本発明の一実施例に係るＬＵＴ補正システムを示すシステムブロック図である。
【図２】ＬＵＴ無彩色軸の入出力カラーデータの関係と予測値曲線を示す図である。
【符号の説明】
【００３４】
Ａ…補正前のＬＵＴ
Ｂ…補正後のＬＵＴ
１…ＬＵＴ補正システム
２…ＬＵＴデータ読込部
３…関係式作成部
４…予測値計算部
５…補正処理部
６…補正ＬＵＴ作成部
【図１】
2006129259.tif 000003
【図２】
2006129259.tif 000004